(57)【特許請求の範囲】
【請求項１】
Ｔ字状の３方向を向いたものが２連配置された外周噴射ノズルと先端噴射ノズルとを具えた注入ロッドによって、トンネル切羽前方の地山を所定の深さまで削孔したのち、同注入ロッドの前記先端噴射ノズルより瞬結性の地盤改良薬液を高圧噴射させながら同注入ロッドを地山から徐々に引き抜き、トンネル内空間側に脚部片が突出するようにＴ型固結体よりなる先受アーチを造成することを特徴とするトンネルの先受工法。
【請求項２】
Ｔ字状の３方向を向いたものが２連配置された外周噴射ノズルと先端噴射ノズルとを具えた注入ロッドによって、トンネル切羽前方の地山を所定の深さまで削孔したのち、同注入ロッドの前記先端噴射ノズルより瞬結性の地盤改良薬液を高圧噴射させながら同注入ロッドを地山から徐々に引き抜き、トンネル内空間側に脚部片が突出するようにＴ型固結体よりなる先受アーチを造成したのち、同固結体の突出脚部片の一部分を地山とともに計画断面まで掘削し、支保工を建て込むことを特徴とするトンネルの支保工法。
【発明の詳細な説明】
【０００１】
【産業上の利用分野】
本発明は軟弱な地山からなる都市トンネルを掘削するのに当って、切羽前方の地山の補強工事を施工した場合の都市トンネルを効率よく施工するための先受工法及びその支保工法に係るものである。
【０００２】
【従来の技術】
切羽前方の補強方法として、本出願人は特開平５−１２５８９３号公報において、Ｔ字状の３方向を向いたものが２連配置された外周噴射ノズルａと先端噴射ノズルａとを具えた注入ロッドｂを所定の地盤に貫入し、前記各ノズルａより同時に水ガラスＡ、セメントミルクＢ等の瞬結性薬液を噴射するとともに、同各薬液噴射流のまわりに圧縮空気吐出口Ｃによって圧縮空気を連行させながら、注入ロッドｂを地盤から徐々に引き抜く地盤改良工法を提案した。（図６参照）
また従来の切羽地山の補強方法としてはパイプルーフやフォアパイリング工法が採用されていた。
【０００３】
図３は従来工法の一例を示す縦断面図で、切羽ｐ前方の地山をパイプルーフやフォアパイプｑによって補強するもので、図４は図３の掘削が完了した任意部分の先受工及び支保工を含むトンネルの断面を示し、ｒは支保工を示す。
図５は従来工法の他の例を示し、掘削が完了した任意部の先受工及び支保工ｒを含むトンネルの断面図である。
【０００４】
図４及び図５から明らかなように支保工ｒのサイズが掘削の進行に伴って大きくなる。図中ｓは逆Ｔ型固結体である。
【０００５】
【発明が解決しようとする課題】
前記従来の先受工は、施工機械が空間的制約を受け、各先受工をトンネル方向に重ね合わせる必要があるため、トンネル掘削方向に対して斜め上方に一定の勾配を以って施工される。
従ってトンネルの支保工は先受工の勾配に応じて各種のサイズの支保工を用意しておかなければならず、また勾配をつけることによって覆工コンクリートが余計に必要となる。
【０００６】
本発明は前記従来技術の有する問題点に鑑みて提案されたもので、その目的とするところは、施工性、経済性が向上され、施工管理が容易なトンネル先受工と支保工法を提供する点にある。
【０００７】
【課題を解決するための手段】
前記の目的を達成するため、本発明に係るトンネル先受工法によれば、Ｔ字状の３方向を向いたものが２連配置された外周噴射ノズルと先端噴射ノズルとを具えた注入ロッドによって、トンネル切羽前方の地山を所定の深さまで削孔したのち、同注入ロッドの前記先端噴射ノズルより瞬結性の地盤改良薬液を高圧噴射させながら同注入ロッドを地山から徐々に引き抜き、トンネル内空間側に脚部片が突出するようにＴ型固結体よりなる先受アーチを造成するものである。
【０００８】
また本発明に係るトンネル支保工法によれば、前記先受工法によってＴ型固結体よりなる前記先受アーチを造成したのち、同固結体の突出脚部片の一部分を地山とともに計画断面まで掘削し、支保工を建て込むものである。
【０００９】
【作用】
本発明によれば前記したように、Ｔ字状の３方向を向いたものが２連配置された外周噴射ノズルと先端噴射ノズルとを具えた注入ロッドによって、トンネル切羽前方の地山を所定の深さまで削孔し、しかるのち同注入ロッドの前記先端噴射ノズルより瞬結性の地盤改良液を高圧噴射させながら同注入ロッドを地山から徐々に引き抜くことによって、トンネル内空間に脚部片が突出するようにＴ型固結体より構成された先受工のアーチが造成される。
【００１０】
本発明に係る支保工法によれば前記先受アーチの突出脚部片の一部分を地山とともに設計断面まで掘削し、同じサイズの支保工を容易に建て込むことが可能である。
【００１１】
【実施例】
以下、本発明を図示の実施例について説明する。
図１及び図２に示す実施例において、Ｔ字状の３方向を向いたものが２連配置された外周噴射ノズルと先端噴射ノズルとを具えた注入ロッドによって、トンネル切羽１の前方の地山を所定の深さまで削孔したのち、同注入ロッドの先端噴射ノズルより水ガラス及びセメントミルク等の瞬結性地盤改良薬液を高圧噴射させながら同注入ロッドを地山から徐々に引き抜き、トンネル内空間側に脚部片２ａが突出するようにＴ型固結体２よりなる先受工のアーチを造成する（図２参照）。
更に支保工３を建て込む際には、前記Ｔ型固結体２の突出脚部片２ａの一部分を地山とともに設計断面４まで掘削し、支保工３を建て込む。
【００１２】
図２は本発明の方法によってトンネルを掘削したのち、支保工３を建て込んだときのトンネル任意区間の断面を示し、支保工３と同一サイズの支保工を容易に建て込むことができることを示している。
【００１３】
【発明の効果】
本発明によれば前記したように、Ｔ字状の３方向を向いたものが２連配置された外周噴射ノズルと先端噴射ノズルとを具えた注入ロッドによって、トンネル切羽前方の地山を所定の深さまで削孔したのち、同注入ロッドの前記先端噴射ノズルより瞬結性の地盤改良薬液を高圧噴射させながら同注入ロッドを地山から徐々に引き抜き、トンネル内空間側に脚部片が突出するようにＴ型固結体よりなる先受アーチを造成するようにしたことによって、先受工のアーチを効率よく施工しうるものである。
【００１４】
また本発明の支保工法によれば、前記支保工法によってＴ型固結体を造成したのち、同固結体の突出脚部片の一部分を地山とともに設計断面まで掘削し、支保工を建て込むことによって、トンネル支保工の先受工の勾配に応じて各種のサイズの支保工を用意する必要がなく、施工管理が容易になり、また掘削断面が上向き勾配をつける必要がなく、覆工コンクリートも設計量で十分であり、本発明によればこのように施工性、経済性が向上され、施工管理が容易なトンネル先受工及び支保工法が提供される。
【図面の簡単な説明】
【図１】本発明の方法によってトンネル切羽前方に造成された先受工及び支保工を含むトンネル全体の縦断面図である。
【図２】本発明の方法によって掘削が完了した任意部分の先受工及び支保工を含むトンネルの断面図で、左半部は図１のＡ−Ａ’断面図、右半部は図１のＢ−Ｂ’断面図である。
【図３】従来工法の一例を示す縦断面図である。
【図４】図３の掘削が完了した任意部分の先受工及び支保工を含むトンネルの断面図で、左半部は図３のＣ−Ｃ’断面図、右半部は図３のＤ−Ｄ’断面図である。
【図５】従来工法の他の例を示し、任意部分の先受工及び支保工を含むトンネルの断面図で、左半部は図３のＣ−Ｃ’断面図、右半部は図３のＤ−Ｄ’断面図である。
【図６】従来工法の更に他の例を示す縦断面図である。
【符号の説明】
１   切羽
２   Ｔ型固結体
２ａ 脚部片
３   支保工
４   設計断面
【図１】
0003580381.tif 000002
【図２】
0003580381.tif 000003
【図３】
0003580381.tif 000004
【図４】
0003580381.tif 000005
【図５】
0003580381.tif 000006
【図６】
0003580381.tif 000007